【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
複数の文字のうちから入力文字を決定する文字入力装置において、
前記複数の文字の各々を複数の文字グループのうちの少なくとも１つに対応づけて記憶する文字記憶手段と、
予測文字列を記憶する予測文字列記憶手段と、
前記複数の文字グループのうちのいずれかを注目文字グループとして特定するための注目文字グループ特定情報を記憶する注目文字グループ特定情報記憶手段と、
前記予測文字列記憶手段に記憶される予測文字列のうちから、前記注目文字グループ特定情報によって特定される文字グループに対応づけて記憶される各文字に対応する予測文字列を取得する予測文字列取得手段と、
前記注目文字グループ特定情報によって特定される文字グループに対応づけて記憶される各文字及び前記予測文字列取得手段によって取得される予測文字列のうちのいずれかを現選択入力候補として特定するための現選択入力候補特定情報を記憶する現選択入力候補特定情報記憶手段と、
前記複数の文字グループに対応する文字グループ対応画像と、前記予測文字列取得手段によって取得される予測文字列を、前記注目文字グループ特定情報によって特定される文字グループに対応づけて記憶される各文字とともに案内する入力候補案内画像と、を含む文字入力画面を表示手段に表示させる表示制御手段と、
注目点移動操作に応じて、前記注目文字グループ特定情報によって特定される文字グループが前記複数の文字グループのうちの他の文字グループとなるように、前記注目文字グループ特定情報を更新する注目文字グループ特定情報更新手段と、
入力文字選択ボタンの押下操作に応じて、前記現選択入力候補特定情報によって特定される文字又は予測文字列が、前記入力候補案内画像において案内される文字及び予測文字列のうちの他の文字又は予測文字列となるように、前記現選択入力候補特定情報を更新する現選択入力候補特定情報更新手段と、
前記現選択入力候補特定情報によって前記現選択入力候補として文字が特定されている場合、入力文字決定操作に応じて、該文字を前記入力文字として決定し、前記現選択入力候補特定情報によって前記現選択入力候補として予測文字列が特定されている場合、前記入力文字決定操作に応じて、該予測文字列に含まれる文字のうちの少なくとも一部を前記入力文字として決定する入力文字決定手段と、
を含むことを特徴とする文字入力装置。
【請求項２】
請求項１に記載の文字入力装置において、
前記表示制御手段は、前記注目文字グループ特定情報によって特定される文字グループに対応する前記文字グループ対応画像の前記文字入力画面における位置を取得する手段を含み、該取得された位置に基づいて前記入力候補案内画像の表示位置を決定することを特徴とする文字入力装置。
【請求項３】
請求項１に記載の文字入力装置において、
前記文字入力画面は、前記入力文字決定手段によって決定された前記入力文字を表示するための表示領域を含み、
前記表示制御手段は、前記表示領域内の位置であって、前記入力文字決定手段によって前記入力文字が決定された場合に該入力文字が表示されることになる位置を取得する手段を含み、該取得された位置に基づいて前記入力候補案内画像の表示位置を決定する、
ことを特徴とする文字入力装置。
【請求項４】
請求項１乃至３のいずれかに記載の文字入力装置において、
前記入力文字決定手段によって決定された前記入力文字を記憶する入力文字記憶手段を含み、
前記予測文字列取得手段は、前記予測文字列記憶手段に記憶される予測文字列のうちから、前記入力文字記憶手段に記憶される前記入力文字と、前記注目文字グループ特定情報によって特定される文字グループに対応づけて記憶される各文字と、の組み合わせに対応する予測文字列を取得する、
ことを特徴とする文字入力装置。
【請求項５】
複数の文字の各々を複数の文字グループのうちの少なくとも１つに対応づけて記憶し、前記複数の文字のうちから入力文字を決定する文字入力装置の制御方法において、
前記複数の文字グループのうちのいずれかを注目文字グループとして特定するための注目文字グループ特定情報を記憶してなる注目文字グループ特定情報記憶手段から前記注目文字グループ特定情報を読み出すためのステップと、
予測文字列を記憶してなる予測文字列記憶手段に記憶される予測文字列のうちから、前記注目文字グループ特定情報によって特定される文字グループに対応づけて記憶される各文字に対応する予測文字列を取得するための予測文字列取得ステップと、
前記注目文字グループ特定情報によって特定される文字グループに対応づけて記憶される各文字及び前記予測文字列取得ステップによって取得される予測文字列のうちのいずれかを現選択入力候補として特定するための現選択入力候補特定情報を記憶してなる現選択入力候補特定情報記憶手段から前記現選択入力候補特定情報を読み出すためのステップと、
前記複数の文字グループに対応する文字グループ対応画像と、前記予測文字列取得ステップによって取得される予測文字列を、前記注目文字グループ特定情報によって特定される文字グループに対応づけて記憶される文字とともに案内する入力候補案内画像と、を含む文字入力画面を表示手段に表示させるための表示制御ステップと、
注目点移動操作に応じて、前記注目文字グループ特定情報によって特定される文字グループが前記複数の文字グループのうちの他の文字グループとなるように、前記注目文字グループ特定情報を更新するための注目文字グループ特定情報更新ステップと、
入力文字選択ボタンの押下操作に応じて、前記現選択入力候補特定情報によって特定される文字又は予測文字列が、前記入力候補案内画像において案内される文字及び予測文字列のうちの他の文字又は予測文字列となるように、前記現選択入力候補特定情報を更新するための現選択入力候補特定情報更新ステップと、
前記現選択入力候補特定情報によって前記現選択入力候補として文字が特定されている場合、入力文字決定操作に応じて、該文字を前記入力文字として決定し、前記現選択入力候補特定情報によって前記現選択入力候補として予測文字列が特定されている場合、前記入力文字決定操作に応じて、該予測文字列に含まれる文字のうちの少なくとも一部を前記入力文字として決定するための入力文字決定ステップと、
を含むことを特徴とする文字入力装置の制御方法。
【請求項６】
複数の文字のうちから入力文字を決定する文字入力装置としてコンピュータを機能させるためのプログラムであって、
前記複数の文字の各々を複数の文字グループのうちの少なくとも１つに対応づけて記憶する文字記憶手段、
予測文字列を記憶する予測文字列記憶手段、
前記複数の文字グループのうちのいずれかを注目文字グループとして特定するための注目文字グループ特定情報を記憶する注目文字グループ特定情報記憶手段、
前記予測文字列記憶手段に記憶される予測文字列のうちから、前記注目文字グループ特定情報によって特定される文字グループに対応づけて記憶される各文字に対応する予測文字列を取得する予測文字列取得手段、
前記注目文字グループ特定情報によって特定される文字グループに対応づけて記憶される各文字及び前記予測文字列取得手段によって取得される予測文字列のうちのいずれかを現選択入力候補として特定するための現選択入力候補特定情報を記憶する現選択入力候補特定情報記憶手段、
前記複数の文字グループに対応する文字グループ対応画像と、前記予測文字列取得手段によって取得される予測文字列を、前記注目文字グループ特定情報によって特定される文字グループに対応づけて記憶される各文字とともに案内する入力候補案内画像と、を含む文字入力画面を表示手段に表示させる表示制御手段、
注目点移動操作に応じて、前記注目文字グループ特定情報によって特定される文字グループが前記複数の文字グループのうちの他の文字グループとなるように、前記注目文字グループ特定情報を更新する注目文字グループ特定情報更新手段、
入力文字選択ボタンの押下操作に応じて、前記現選択入力候補特定情報によって特定される文字又は予測文字列が、前記入力候補案内画像において案内される文字及び予測文字列のうちの他の文字又は予測文字列となるように、前記現選択入力候補特定情報を更新する現選択入力候補特定情報更新手段、及び、
前記現選択入力候補特定情報によって前記現選択入力候補として文字が特定されている場合、入力文字決定操作に応じて、該文字を前記入力文字として決定し、前記現選択入力候補特定情報によって前記現選択入力候補として予測文字列が特定されている場合、前記入力文字決定操作に応じて、該予測文字列に含まれる文字のうちの少なくとも一部を前記入力文字として決定する入力文字決定手段、
として前記コンピュータを機能させるためのプログラム。